(57)【要約】【課題】本発明は、施工作業の手間を抑制しつつ、視覚上の違和感を軽減できるシャッタ装置を提供する。【解決手段】建物の開口を開閉可能に覆うシャッターカーテンを含むシャッタ装置において、建物８０の壁面８２に取付けられる取付枠３５を備える。取付枠３５には、コーキング材５２が塗布される第１受部４１ｃが設けられ、第１受部４１ｃは、取付枠３５の外周縁より開口側に設けられる。取付枠３５は、取付枠３５の上部に横方向に伸びる第１横枠３４と、第１横枠３４の左右の端部それぞれから下方に伸びる一対の縦枠と、を含む。【選択図】図６
2018096162.tif 000002
【特許請求の範囲】
【請求項１】
建物の開口を開閉可能に覆うシャッターカーテンを含むシャッタ装置であって、
建物の壁面に取付けられる取付枠を備え、
前記取付枠には、コーキング材が塗布されるコーキング受部が設けられ、
前記コーキング受部は、前記取付枠の外周縁より前記開口側に設けられることを特徴とするシャッタ装置。
【請求項２】
前記取付枠は、第１横枠と、前記第１横枠の左右両端それぞれから下方に伸びる一対の縦枠と、を含み、
前記コーキング受部は、前記第１横枠に設けられた第１受部と、前記一対の縦枠に設けられた第２受部と、を含むことを特徴とする請求項１に記載のシャッタ装置。
【請求項３】
前記取付枠は、前記第１横枠の下方に離れて配置され、前記一対の縦枠それぞれの間に架け渡される第２横枠を含み、
前記コーキング受部は、前記第２横枠に設けられた第３受部を含むことを特徴とする請求項２に記載のシャッタ装置。
【請求項４】
前記一対の縦枠は、前記第２横枠の側部から上方に伸びて前記第２受部が設けられる一対の第１縦枠と、前記一対の第１縦枠の下端から下方に伸びる一対の第２縦枠と、からなり、
前記第２受部には前記コーキング材が塗布され、
前記一対の第２縦枠の前記開口側には前記コーキング材が塗布されないことを特徴とする請求項３に記載のシャッタ装置。
【請求項５】
前記第３受部は前記第２受部と連続していることを特徴とする請求項３または４に記載のシャッタ装置。
【請求項６】
前記第１受部と前記第２受部との間にシート状の第１シール部材が設けられることを特徴とする請求項２から５のいずれかに記載のシャッタ装置。
【請求項７】
前記一対の縦枠には、前記第２受部の外側で縦方向に伸びるシート状の第２シール部材が設けられることを特徴とする請求項２から６のいずれかに記載のシャッタ装置。
【請求項８】
前記コーキング受部は、前記取付枠の前記壁面側において前記取付枠の外周縁から内側に離れた位置に設けられる部分を含むことを特徴とする請求項１から７のいずれかに記載のシャッタ装置。
【発明の詳細な説明】
【技術分野】
【０００１】
本発明は、建物の開口に取付けるシャッタ装置に関する。
【背景技術】
【０００２】
建物の開口に取付けるシャッタ装置が知られている。例えば特許文献１には建物の開口に設けられるシャッタ装置が記載されている。このシャッタ装置は、窓開口部の上方の位置において建物の外壁に取り付けられたシャッターケースと、窓開口部の幅方向両側で建物外壁に取り付けられた左右のガイドレールと、シャッターケース内に巻き取られ／繰り出されることで、窓開口部を開閉するシャッターカーテンと、を備えている。
【先行技術文献】
【特許文献】
【０００３】
【特許文献１】特開２０１３−２１７４号公報
【発明の概要】
【発明が解決しようとする課題】
【０００４】
本発明者は建物の壁面に取付けるシャッタ装置について以下の認識を得た。
シャッタ装置の内部に雨水などの浸入を防ぐために、シャッタの取付枠の外回り部分と建物の壁面とにわたって湿式のコーキング材を塗布してこれらの隙間を埋めることが考えられる。このように形成したコーキング部分にはその幅や厚みが変動する塗布ムラを生じることがある。取付枠の外回り部分はシャッタ装置の外観を構成するため、塗布ムラがあるとその部分が外側から見えて、見る者に違和感を与えるおそれがある。この違和感を緩和するために、マスキングをして塗布ムラを減らすことも考えられるが、マスキングのために施工作業の手間が余計に掛かるという課題がある。
このことから、本発明者は、シャッタ装置について、施工作業の手間を抑制しつつ、視覚上の違和感を軽減する観点から改善の余地があることを認識した。
【０００５】
本発明は、このような課題に鑑みてなされたもので、施工作業の手間を抑制しつつ、視覚上の違和感を軽減できるシャッタ装置を提供することを目的とする。
【課題を解決するための手段】
【０００６】
上記課題を解決するために、本発明のある態様のシャッタ装置は、建物の開口を開閉可能に覆うシャッターカーテンを含むシャッタ装置であって、建物の壁面に取付けられる取付枠を備える。取付枠には、コーキング材が塗布されるコーキング受部が設けられ、コーキング受部は、取付枠の外周縁より開口側に設けられる。
【０００７】
この態様によると、取付枠の外周縁より開口側に配置されるコーキング受部にコーキング材を塗布することができる。
【０００８】
なお、以上の構成要素の任意の組み合わせや本発明の構成要素や表現を、方法、装置、システムなどの間で相互に置換したものもまた、本発明の態様として有効である。
【発明の効果】
【０００９】
本発明によれば、施工作業の手間を抑制しつつ、視覚上の違和感を軽減できるシャッタ装置を提供することができる。
【図面の簡単な説明】
【００１０】
【図１】実施の形態に係るシャッタ装置を示す正面図である。
【図２】図１のシャッタ装置の取付枠を示す斜視図である。
【図３】図２の取付枠の縦断面を示す断面図である。
【図４】図２の取付枠の横断面を示す断面図である。
【図５】図２の取付枠の横断面を示す別の断面図である。
【図６】図２の取付枠の一部を拡大して示す正面図である。
【図７】図２の取付枠の一部を拡大して示す背面図である。
【図８】図２の取付枠の第５受部にコーキング材を塗布した状態を示す正面図である。
【図９】図２の取付枠の第５受部にコーキング材を塗布した状態を示す背面図である。
【図１０】図２の取付枠に保護部材を設けた状態を示す断面図である。
【図１１】図１０の保護部材の周辺を拡大して示す断面図である。
【発明を実施するための形態】
【００１１】
本発明者は、シャッタ装置について考察し、以下のような認識を得た。
建物の開口に設けられるシャッタ装置では、その内部に雨水などが浸入すると、内部機構に錆を発生することが考えられる。特に、シャッターボックス内にシャッターカーテンを巻き上げるモータが備えられる場合は、その電気配線などに影響することによってシャッター装置の信頼性が低下する懸念がある。また、シャッターボックス内に浸入した水は、シャッターボックスの下方に設けられる窓部に垂れ出して、窓部に染みを生じさせることが考えられる。窓部の染みは、シャッターカーテンを開いたときの美観を損ない、視る者に視覚上の違和感を与える。
【００１２】
雨水などの浸入を抑制するために、シャッタ装置の外縁に湿式のコーキング材を塗布することが考えられる。しかし、外縁に塗布したコーキング材には塗布むらが生じ易く、また経年により変色や細かい傷などの劣化を生じることが考えられる。この場合、シャッタ装置およびその周辺の美観を損ない、視る者に視覚上の違和感を与えることがある。劣化が生じた場合には、補修等の手間が掛かる。このことから、本発明者は、コーキング材を正面視で視認できる領域を避けた位置に塗布することを見出し、特に、コーキング材を塗布するコーキング受部を、取付枠の外周縁より開口側に設けることに想い至った。
実施の形態はこのような思索に基づいて案出されたもので、以下にその具体的な構成を説明する。
【００１３】
以下、本発明を好適な実施の形態をもとに各図面を参照しながら説明する。実施の形態、変形例では、同一または同等の構成要素、部材には、同一の符号を付するものとし、適宜重複した説明は省略する。また、各図面における部材の寸法は、理解を容易にするために適宜拡大、縮小して示される。また、各図面において実施の形態を説明する上で重要ではない部材の一部は省略して表示する。
また、第１、第２などの序数を含む用語は多様な構成要素を説明するために用いられるが、この用語は一つの構成要素を他の構成要素から区別する目的でのみ用いられ、この用語によって構成要素が限定されるものではない。
【００１４】
［実施の形態］
本発明の実施の形態に係るシャッタ装置１００について説明する。図１は、実施の形態に係るシャッタ装置１００を示す正面図である。図１は建物の外側から視たシャッタ装置の正面を示す。以下、ＸＹＺ直交座標系をもとに説明する。Ｘ軸方向は水平な左右方向に対応し、Ｙ軸方向は水平な前後方向に対応し、Ｚ軸方向は鉛直な上下方向に対応する。Ｙ軸方向およびＺ軸方向はそれぞれＸ軸方向に直交する。Ｘ軸方向は左方向あるいは右方向と、Ｙ軸方向は前方向あるいは後方向と、Ｚ軸方向で正方向を上方向、Ｚ軸方向で負方向を下方向と表記することがある。このような方向の表記はシャッタ装置１００の使用姿勢を制限するものではなく、シャッタ装置１００は任意の姿勢で使用されうる。
【００１５】
シャッタ装置１００は、取付枠３５と、ガイドレール部１２と、シャッターカーテン３６と、シャッターボックス３８と、を備える。シャッタ装置１００は、例えば、建物の窓部や出入口等が設けられた開口を開閉するために好適に設けられる。図１の建物８０の壁面８２の開口８４には、矩形の窓部８８が設けられており、シャッタ装置１００は窓部８８を覆うように設けられる。ガイドレール部１２は、窓部８８の左右の窓枠８６それぞれの外側に設けられる縦長の部材である。ガイドレール部１２はシャッターカーテン３６の幅方向の両側部を上下動可能にガイドする。ガイドレール部１２は、後述する一対の縦枠１９に取りつけられる。
【００１６】
シャッターカーテン３６は左右の外端部３６ｂを有する正面視で矩形状の部材である。シャッターカーテン３６は巻取り可能に形成される。シャッターボックス３８は、取付枠３５の上方において左右に延在する横長箱状の部材である。シャッターボックス３８の内部空間には、巻取り部（不図示）に巻き取られたシャッターカーテン３６を収容する。シャッターボックス３８は、シャッタ装置１００の上部において取付枠３５の後述する第１横枠と第２横枠とに取付けられる。
【００１７】
図２は、シャッタ装置１００の取付枠３５を示す斜視図である。図２は、図１のシャッタ装置１００からガイドレール部１２と、シャッターカーテン３６と、シャッターボックス３８と、を取り外した状態を示す。取付枠３５は、第１横枠３４と、第２横枠３３と、第３横枠３２と、一対の縦枠１９と、を含む。一対の縦枠１９は、第２横枠３３の側部から上方に伸びて後述する第２受部４７ｃが設けられる一対の第１縦枠２１と、一対の第１縦枠２１の下端から下方に伸びる一対の第２縦枠２０と、からなる。一対の第１縦枠２１と一対の第２縦枠２０は縦長のフレーム部材である。一対の第１縦枠２１は一対の第２縦枠２０と一体に形成される。第３横枠３２、第２横枠３３、第１横枠３４、第１縦枠２１および第２縦枠２０（以下、各フレームという）は、それぞれ取付ネジによって建物８０の壁面８２に取付けられる。
【００１８】
第３横枠３２は、取付枠３５の下部において、一対の第２縦枠２０の下端部の間に架けわたされる横長のフレーム部材である。第１横枠３４は、取付枠３５の上部において、一対の第２縦枠２０の上端部の間に架けわたされる横長のフレーム部材である。第２横枠３３は、第１横枠３４の下方に離れて配置される横長のフレーム枠材である。第２横枠３３は、上下方向にて第３横枠３２と第１横枠３４の中間位置より第１横枠３４側に位置する。第２横枠３３は、一対の第１縦枠２１の下部にて、その間に架けわたされる。
【００１９】
第１横枠３４と、一対の第１縦枠２１と、第２横枠３３と、は矩形のボックス取付枠３５ａを構成する。ボックス取付枠３５ａには主にシャッターボックスが取付られる。第２横枠３３と、一対の第２縦枠２０と、第３横枠３２、は矩形のレール取付枠３５ｂを構成する。レール取付枠３５ｂには主にガイドレール部が取付られる。
【００２０】
シャッタ装置１００と壁面８２の隙間をシールするためのコーキング材を取付枠３５の外側など可視領域に塗布する構成では視る者に視覚上の違和感を与える懸念がある。そこで、実施の形態のシャッタ装置１００では、取付枠３５には、当該取付枠３５と壁面８２との間の隙間を減少させるためのコーキング材が塗布されるコーキング受部４０が設けられ、このコーキング受部は、取付枠３５の外周縁３５ｅより内側に配置される。コーキング受部４０は、後述する第１〜第５受部を含む。以下、各フレームのコーキング受部について説明する。
【００２１】
（外周縁）
先に、取付枠３５の外周縁３５ｅについて説明する。図２に示すように、取付枠３５の外周縁３５ｅは、第３横枠３２の下縁３２ｇと、第１横枠３４の上縁３４ｇと、第１縦枠２１の外側の側縁２１ｇと、第２縦枠２０の外側の側縁２０ｇと、を含む。実施の形態の外周縁３５ｅは、正面視にて、取付枠３５をＹ軸方向で壁面８２に投影した投影範囲の外郭線３５ｋに相当する。この場合、取付枠３５の外郭線３５ｋの内側を外周縁３５ｅの内側としてもよい。外郭線３５ｋの外側領域は、シャッターカーテン３６を閉じた状態にて正面視で視認可能な可視領域であり、コーキング受部４０は、この可視領域を避けた非可視領域に設けられる。
【００２２】
（コーキング受部）
次に、壁面８２に取付けられた状態の各フレームのについて説明する。図３は、図２の取付枠３５のＡ−Ａ線に沿った鉛直面で切断した縦断面を示す断面図である。図３は、特に第１横枠３４の縦断面と、第２横枠３３の縦断面と、第３横枠３２の周辺の縦断面を、示している。本明細書において、各フレームが壁面８２に取付けられることには、取付ネジ２８が壁面８２を貫通して建物８０を構成する柱や梁等の躯体９０にねじ込まれることを含む（図３〜５も参照）。
【００２３】
第１横枠３４は装着部４１と支持部４２を含む。装着部４１は壁面８２に沿う形状を有する。装着部４１は、取付ネジ２８によって壁面８２に装着される。取付ネジ２８は装着部４１に設けられた取付孔４１ｈを通って壁面８２に進入し、間柱や梁など建物の躯体９０にねじ込まれる。支持部４２は装着部４１の上部からＹ軸方向で前向きに張り出す。支持部４２にはシャッターボックスの上部が固定される。
【００２４】
装着部４１には、第１受部４１ｃと、保持部４１ｄと、第５受部４１ｆと、が形成される。第５受部４１ｆについては後述する。第１受部４１ｃは、装着部４１と壁面８２との間の隙間を減少させるためのコーキング材５２を塗布する部分である。第１受部４１ｃは、取付枠３５の外周縁３５ｅより内側に配置される。第１受部４１ｃは、取付枠３５の第１横枠３４の壁面８２側において取付枠３５の外周縁３５ｅから内側に離れた位置に設けられる。特に、第１受部４１ｃは、第１横枠３４の上縁３４ｇより下側に配置される。第１受部４１ｃは、壁面８２から前方に離れる方向（略Ｙ軸方向）に張り出す。
【００２５】
保持部４１ｄは、第１受部４１ｃに塗布されたコーキング材５２の壁面８２と反対側をカバーする部材である。保持部４１ｄは、第１受部４１ｃに塗布されたコーキング材５２の流れ出しを抑制する。保持部４１ｄは、第１受部４１ｃの前端から上方に張り出す。保持部４１ｄによってコーキング材５２の流れ出しを抑えるから、コーキング材５２の塗布量を増やして隙間を埋める効果を高めることができる。保持部４１ｄは、壁面８２と略平行に伸びて、壁面８２との間にコーキング材５２を収容する空間を形成する。図３に示すように、コーキング材５２は、保持部４１ｄと壁面８２との間の空間の途中まで塗布されてもよい。第１受部４１ｃは、第１横枠３４の壁面８２側にて、外周縁３５ｅから内側に離れた位置に設けられる。
【００２６】
第２横枠３３は装着部４３と支持部４４を含む。装着部４３は壁面８２に沿う形状を有する。装着部４３は取付ネジ２８によって壁面８２に装着される。取付ネジ２８は装着部４３に設けられた取付孔４３ｈを通って壁面８２に進入し、間柱や梁など建物の躯体９０にねじ込まれる。支持部４４は装着部４３の下部からＹ軸方向で前向きに張り出す。支持部４４にはシャッターボックスの下部が固定される。
【００２７】
装着部４３には、第３受部４３ｃと、保持部４３ｄと、が形成される。第３受部４３ｃは、装着部４３と壁面８２との間の隙間を減少させるためのコーキング材５４を塗布する部分である。第３受部４３ｃは、取付枠３５の外周縁３５ｅより内側に配置される。第３受部４３ｃは、壁面８２から離れる方向（略Ｙ軸方向）に張り出す。保持部４３ｄは、第３受部４３ｃに塗布されたコーキング材５４の壁面８２と反対側をカバーする部材である。保持部４３ｄは、第３受部４３ｃに塗布されたコーキング材５４の流れ出しを抑制する。保持部４３ｄは、第３受部４３ｃの前端から上方に張り出す。保持部４３ｄによってコーキング材５４の流れ出しを抑えるから、コーキング材５４の塗布量を増やして隙間を埋める効果を高めることができる。保持部４３ｄは、壁面８２と略平行に伸びて、壁面８２との間にコーキング材５４を収容する空間を形成する。第３受部４３ｃは、第２横枠３３の壁面８２側にて、外周縁３５ｅから内側に離れた位置に設けられる。
【００２８】
次に、サイドフレームのコーキング受部について説明する。図４は、図２の取付枠３５のＢ−Ｂ線に沿った水平面で切断し横断面を示す断面図であり、特に第１縦枠２１の周辺の横断面を示している。図５は、図２の取付枠３５のＣ−Ｃ線に沿った水平面で切断し横断面を示す断面図であり、特に第２縦枠２０の周辺の横断面を示している。
【００２９】
第１縦枠２１は装着部４７と支持部４８を含む。装着部４７は壁面８２に沿う形状を有する。装着部４７は、取付ネジ２８によって壁面８２に装着される。取付ネジ２８は装着部４７に設けられた取付孔４７ｈを通って壁面８２に進入し、間柱や梁など建物の躯体９０にねじ込まれる。支持部４８は装着部４７の側部からＹ軸方向で前向きに張り出す。支持部４８にはシャッターボックスの上部が固定される。
【００３０】
装着部４７には、第２受部４７ｃが形成される。第２受部４７ｃは、装着部４７と壁面８２との間の隙間を減少させるためのコーキング材５６を塗布する部分である。第２受部４７ｃは、取付枠３５の外周縁３５ｅより内側に配置される。特に、第２受部４７ｃは、第１縦枠２１の側縁２１ｇより内側に配置される。第２受部４７ｃは、壁面８２から前方に離れる方向（略Ｙ軸方向）に張り出す。第２受部４７ｃは外周縁３５ｅから内側に離れた位置に設けられる。
【００３１】
第２縦枠２０は装着部４９と支持部５０を含む。装着部４９は壁面８２に沿う形状を有する。装着部４９は、取付ネジ２８によって壁面８２に装着される。取付ネジ２８は装着部４９に設けられた取付孔４９ｈを通って壁面８２に進入し、間柱や梁など建物の躯体９０にねじ込まれる。支持部５０は装着部４９の側部からＹ軸方向で前向きに張り出す。支持部５０にはガイドレールが固定される。
【００３２】
装着部４９には、第４受部４９ｃが形成される。第４受部４９ｃは、装着部４９と壁面８２との間の隙間を減少させるためのコーキング材を塗布可能な形状を有する。第４受部４９ｃは、取付枠３５の外周縁３５ｅより内側に配置される。特に、第４受部４９ｃは、第２縦枠２０の側縁２０ｇより内側に配置される。第４受部４９ｃは、壁面８２から前方に離れる方向（略Ｙ軸方向）に張り出す。第４受部４９ｃは外周縁３５ｅから内側に離れた位置に設けられる。図５に示すように、実施の形態では一対の第２縦枠２０の開口８４側に設けた第４受部４９ｃにはコーキング材は塗布されない。
【００３３】
図６は、取付枠３５の一部を拡大して示す正面図である。雨水などの浸入を抑制する観点から、コーキング材は連続して塗布されることが望ましい。そこで、実施の形態のシャッタ装置１００では、図６に示すように、第２横枠３３に設けられた第３受部４３ｃは、第１縦枠２１に設けられた第２受部４７ｃと連続している。これらのコーキング受部が連続していることにより、この部分にはコーキング材を繋げて塗布することができる。
【００３４】
(シール部材)
実施の形態のシャッタ装置１００は、雨水などの浸入をさらに抑制する観点から、コーキング受部とは別にシート状のシール部材６０を備えている。図７は、壁面に取りつけられた状態の取付枠３５の一部を拡大して示す背面図である。図７では壁面の表示を省略している。シール部材６０は、取付枠３５と壁面との間に介在され、これらの間の隙間を小さくする。シール部材６０は、乾式シール材であってもよく、例えば両面テープなどにより取付枠３５に取り付けられる。シール部材６０は、シール性を具備するものであれば特に素材に制限はないが、例えばスポンジ状の素材から形成されてもよい。シール部材６０は、それぞれ矩形状の第１シール部材６２、第２シール部材６４、第３シール部材６６および第４シール部材６８を含む。第４シール部材６８については後述する。
【００３５】
第１シール部材６２について説明する。第１横枠３４の第１受部４１ｃと、第１縦枠２１の第２受部４７ｃとの間において、取付枠３５と壁面との間の隙間が大きくなることが考えられる。そこで、実施の形態のシャッタ装置１００には、第１横枠３４に設けられた第１受部４１ｃと、第１縦枠２１に設けられた第２受部４７ｃとの間にシート状の第１シール部材６２が設けられる。一例として、第１シール部材６２は、その長手方向を横向きに、装着部４１の第１受部４１ｃの下側に貼り付けられる。第１シール部材６２は、第１横枠３４の左右の両側部それぞれに設けられてもよい。
【００３６】
第２シール部材６４について説明する。雨水などの浸入をさらに抑制する観点から、縦枠のシール性能は高い方が好ましい。そこで、実施の形態のシャッタ装置１００では、第１縦枠２１に、第１縦枠２１に設けられた第２受部４７ｃとは別に、縦方向に伸びるシート状の第２シール部材６４が設けられる。一例として、第２シール部材６４は、その長手方向を縦向きに、第１縦枠２１の第２受部４７ｃの外側に貼り付けられる。特に、第２シール部材６４は第２受部４７ｃと並んで縦方向に伸びる。第２シール部材６４は第１シール部材６２と連続して設けられてもよい。
【００３７】
第３シール部材６６について説明する。第２横枠３３の両端部で、壁面との間の隙間が大きくなることが考えられる。そこで、実施の形態のシャッタ装置１００では、第２横枠３３の装着部４３にシート状の第３シール部材６６が設けられる。一例として、第３シール部材６６は、その長手方向を横向きに、第３受部４３ｃの下側に貼り付けられる。第３シール部材６６は第２シール部材６４と連続して設けられてもよい。第３シール部材６６は、第２横枠３３の左右の両側部それぞれに設けられてもよい。
【００３８】
第１シール部材６２、第２シール部材６４および第３シール部材６６のいずれかは、施工の現場で設けるようにしてもよい。実施の形態のシャッタ装置１００では、第１シール部材６２、第２シール部材６４および第３シール部材６６は、取付枠３５に設けられた状態で、施工の現場に供給される。施工の現場での作業が減るので、不慣れな作業者でも短時間で施工することができる。
【００３９】
次に、実施の形態のシャッタ装置１００のその他の構成を説明する。図３を参照する。第１横枠３４の装着部４１は、取付孔４１ｈ、傾斜部４１ｂと、延伸部４１ａと、第５受部４１ｆと、をさらに含む。取付孔４１ｈは、第１横枠３４を壁面８２に取付ネジ２８で取付けるため前後に貫通する孔である。取付孔４１ｈは、例えば左右に離隔して一定の間隔ごとに設けられてもよい。傾斜部４１ｂは、上側に行くに従って壁面８２から離れる方向に傾斜する部分である。取付孔４１ｈは傾斜部４１ｂに設けられている。延伸部４１ａは傾斜部４１ｂの上端から上向に伸びる部分である。
【００４０】
（第５受部）
第５受部４１ｆについて説明する。第５受部４１ｆは、装着部４１と壁面８２との間の隙間を減少させるためのコーキング材５９を塗布する部分である。第５受部４１ｆは、取付枠３５の外周縁３５ｅより内側に配置される。特に、第５受部４１ｆは、第１横枠３４の下側に配置される。第５受部４１ｆは、壁面８２から前方に離れる方向（略Ｙ軸方向）に張り出す。第５受部４１ｆの中間部は傾斜部４１ｂの下端に接続される。Ｙ軸方向において、第５受部４１ｆの一端は壁面８２に接し、他端は傾斜部４１ｂの下端を越えて壁面８２から離れる方向に突出している。第５受部４１ｆの下面にはコーキング材が塗布されてもよい。
【００４１】
シャッターボックス内にはシャッターカーテンの巻き上げ機構や電気モータが収容されるため、特にボックス取付枠３５ａの内側への雨水などの浸入を減らすことが望ましい。そこで、ボックス取付枠３５ａのシール性能を向上するために、ボックス取付枠３５ａの内側の４辺に連続してコーキング材を塗布してもよい。特に、第５受部４１ｆにコーキング材を塗布してもよい。図８は、第５受部４１ｆにコーキング材５９を塗布した状態を示す正面図である。図９は、第５受部４１ｆにコーキング材５９を塗布した状態を示す背面図である。図８、９は、図６、７に対してコーキング材５９が塗布されている点で相違する。コーキング材５９を第５受部４１ｆに塗布することにより、ボックス取付枠３５ａの内側の４辺に連続してコーキング材が塗布され、ボックス取付枠３５ａのシール性能を向上することができる。
【００４２】
(保護部材）
湿式のシール材であるコーキング材の経時変化は小さいことが望ましい。そこで塗布されたコーキング材の近傍に乾式のシール材を併用することが考えられる。一例として、第１受部４１ｃに塗布されたコーキング材５２について説明する。図３に示すように、コーキング材５２は、上側の表面が直接的に外部空間と接しているので、外気による劣化を生じ易い。コーキング材５２が劣化するとシール性能が低下してボックス取付枠３５ａの内側へ雨水などが浸入する可能性が高くなる。そこで、コーキング材５２を保護するために、コーキング材５２の上側に保護部材５３を設けてもよい。
【００４３】
図１０は、取付枠３５に保護部材５３を設けた状態を示す断面図である。図１０は、図３の第１横枠３４の断面図に対して、保護部材５３が設けられている点で相違する。図１１は保護部材５３の周辺を拡大して示す断面図である。保護部材５３は、コーキング材５２が塗布された第１横枠３４の保持部４１ｄと壁面８２との間の隙間に詰められる詰め物状の部材である。保護部材５３は塗布されたコーキング材５２の外気側を覆うことで、コーキング材５２と外気の接触を減らし、劣化を軽減することができる。コーキング材５２が湿式のシール材であるのに対して、保護部材５３は固形の乾式シール材である。保護部材５３は、例えば、ポリ塩化ビニル（polyvinyl chloride）など弾性を有する樹脂材料から押出成形により形成されてもよい。保護部材５３は、指で押せば凹む程度の弾力を有することが望ましい。
【００４４】
図１１に示すように、保護部材５３は、幹状部５３ｂと、第１枝部５３ｄと、第２枝部５３ｅと、第３枝部５３ｆと、を含む。幹状部５３ｂは、上端部から下端部まで下向に伸びる幹状の部分である。第１枝部５３ｄは、幹状部５３ｂの上端部から前後両側に伸びる枝状の部分である。図１１に示しように、第１枝部５３ｄの前方に伸びる部分は、支持部４２の上面に被るように接し、後方に伸びる部分は反るように変形して壁面８２に接する。第２枝部５３ｅは、幹状部５３ｂの中間部から前後両側に伸びる枝状の部分である。
【００４５】
図１１に示すように、第２枝部５３ｅの前方に伸びる部分は反るように変形して保持部４１ｄに接し、後方に伸びる部分は反るように変形して壁面８２に接する。第２枝部５３ｅの前方に伸びる部分の先端は、保持部４１ｄの上端から後方に張出す突起４１ｊに引っ掛かり係止部を構成している。第２枝部５３ｅはコーキング材５２の上面を覆うように設けられる。第３枝部５３ｆは、幹状部５３ｂの下端部から前後両側に伸びる枝状の部分である。図１１に示しように、第２枝部５３ｅは先端に行くに従って上方に伸び、下向矢印の先端のような形状を有する。
【００４６】
図３を参照する。第１横枠３４の支持部４２は、第１支持部４２ｂと、第２支持部４２ｃと、接続部４２ｄ、４２ｅと、を含む。第１支持部４２ｂと第２支持部４２ｃは装着部４１からＹ軸方向で前向きに張り出す。第２支持部４２ｃは第１支持部４２ｂから上方に離隔して設けられる。接続部４２ｄ、４２ｅは、上下に延在して第１支持部４２ｂと第２支持部４２ｃとを接続する。接続部４２ｅは、接続部４２ｄの前方に離隔して設けられる。
【００４７】
第２横枠３３の装着部４３は、傾斜部４３ｂと、延伸部４３ａと、突起部４３ｆと、をさらに含む。傾斜部４３ｂは、下側に行くに従って壁面８２から離れる方向に傾斜する部分である。装着部４３には、取付ネジ２８が通るための取付孔４３ｈが複数設けられる。取付孔４３ｈは、第２横枠３３を壁面８２に取付ネジ２８で取付けるため前後に貫通する孔である。取付孔４３ｈは、例えば左右に離隔して一定の間隔ごとに設けられてもよい。装着部４３は、壁面８２に取付ネジ２８によって装着される。取付孔４３ｈは傾斜部４３ｂに設けられている。延伸部４３ａは傾斜部４３ｂの下端から下向に伸びる部分である。突起部４３ｆは、傾斜部４３ｂの下端から壁面８２に向かって突出する部分で、突出端が壁面８２に接する。
【００４８】
第２横枠３３の支持部４４は、第１支持部４４ｂと、第２支持部４４ｃと、第３支持部４４ｄと、を含む。第１支持部４４ｂと第２支持部４４ｃそれぞれは延伸部４３ａからＹ軸方向で前向きに張出す。第２支持部４４ｃは第１支持部４４ｂの下方に離隔して設けられる。第１支持部４４ｂと第２支持部４４ｃの前端は接続され、第３支持部４４ｄはこれらの接続部から前向きに張出す。
【００４９】
第３横枠３２は装着部４５と支持部４６を含む。装着部４５は壁面８２に沿って左右に伸びる形状を有する。装着部４５は取付ネジ２８によって壁面８２に装着される。取付ネジ２８は装着部４５に設けられた取付孔４５ｈを通って壁面８２に進入し、間柱や梁など建物の躯体９０にねじ込まれる。支持部４６は装着部４５の下部からＹ軸方向で前向きに張り出す。
【００５０】
第３横枠３２の装着部４５は、第１延伸部４５ａと、第２延伸部４５ｂと、第１突起部４５ｃと、第２突起部４５ｄと、を含む。第１延伸部４５ａおよび第２延伸部４５ｂは、壁面８２に平行に伸び左右に長い帯状をなしている。第２延伸部４５ｂは第１延伸部４５ａの上端から上向きに伸びる。取付孔４５ｈは第２延伸部４５ｂに設けられ、取付ネジ２８は壁面８２に垂直な方向にねじ込まれる。第１突起部４５ｃは、第１延伸部４５ａの下端から壁面８２に向かって突出して突出端が壁面８２に接する。第２突起部４５ｄは、第２延伸部４５ｂの上端から壁面８２に向かって突出して突出端が壁面８２に接する。装着部４５の複数の箇所には、取付ネジ２８が通るための取付孔４５ｈが設けられる。取付孔４５ｈは、第２横枠３３を壁面８２に取付ネジ２８で取付けるため前後に貫通する孔である。取付孔４５ｈは、例えば左右に離隔して一定の間隔ごとに設けられてもよい。装着部４５は、壁面８２に取付ネジ２８によって装着される。
【００５１】
第３横枠３２の支持部４６は、第１支持部４６ｂと、第２支持部４６ｃと、後壁部４６ｄと、底部４６ｅと、前壁部４６ｆと、を含む。第１支持部４６ｂと第２支持部４６ｃそれぞれは、第１延伸部４５ａからＹ軸方向で前方に張出す。第１支持部４６ｂは第２支持部４６ｃの上方に離隔して設けられる。後壁部４６ｄは、第１支持部４６ｂの前端からＺ軸方向で下方に張出して第２支持部４６ｃの前端に接続される。底部４６ｅは、第２支持部４６ｃの前端から前方に張出す。前壁部４６ｆは、底部４６ｅの前端から上方に張出す。後壁部４６ｄと、底部４６ｅと、前壁部４６ｆと、によって画定される空間に、シャッターカーテンの下端部を収容する収容部３２ｊが設けられる。
【００５２】
図４を参照する。第１縦枠２１の装着部４７は、取付孔４７ｈ、傾斜部４７ｂと、延伸部４７ａと、突起４７ｄ、４７ｅと、をさらに含む。取付孔４７ｈは、第１縦枠２１を壁面８２に取付ネジ２８で取付けるため前後に貫通する孔である。取付孔４７ｈは、例えば上下に離隔して一定の間隔ごとに設けられてもよい。傾斜部４７ｂは、外側に行くに従って壁面８２から離れる方向に傾斜する部分である。取付孔４７ｈは傾斜部４７ｂに設けられている。延伸部４７ａは傾斜部４７ｂの外側の端から外向に壁面８２と略平行に伸びる部分である。突起４７ｄ、４７ｅは延伸部４７ａの内側と外側の端からそれぞれ後ろ向きに突出して、先端が壁面８２に接する。突起４７ｄと突起４７ｅの間であって延伸部４７ａと壁面８２との間の隙間には第２シール部材６４が介装される。
【００５３】
第１縦枠２１の支持部４８は、第１支持部４８ｂと、接続部４８ｄと、を含む。第１支持部４８ｂは延伸部４７ａの外側の端からＹ軸方向で前方に張出す。接続部４８ｄは第１支持部４８ｂの前端からＸ軸方向で内側に張出す。支持部４８にはシャッターボックスの側部が取付けられる。
【００５４】
図５を参照する。第２縦枠２０の装着部４９は、取付孔４９ｈ、傾斜部４９ｂと、延伸部４９ａと、突起４９ｄ、４９ｄと、をさらに含む。取付孔４９ｈは、第１縦枠２１を壁面８２に取付ネジ２８で取付けるため前後に貫通する孔である。取付孔４９ｈは、例えば上下に離隔して一定の間隔ごとに設けられてもよい。傾斜部４９ｂは、外側に行くに従って壁面８２から離れる方向に傾斜する部分である。取付孔４９ｈは傾斜部４９ｂに設けられている。延伸部４９ａは傾斜部４９ｂの外側の端から外向に壁面８２と略平行に伸びる部分である。突起４９ｄ、４９ｅは延伸部４９ａの内側と外側の端からそれぞれ後ろ向きに突出して、先端が壁面８２に接する。突起４９ｄと突起４９ｅの間であって延伸部４９ａと壁面８２との間の隙間には第４シール部材６８が介装される。第４シール部材６８は、その長手方向を縦向きに、第２縦枠２０に貼り付けられる。第４シール部材６８は第３シール部材６６と連続して設けられてもよい。
【００５５】
第２縦枠２０の支持部５０は、第１支持部５０ｂと、接続部５０ｄと、を含む。第１支持部５０ｂは延伸部４９ａの外側の端からＹ軸方向で前方に張出す。接続部５０ｄは第１支持部５０ｂの前端からＸ軸方向で内側に張出す。支持部５０にはガイドレール部が取付けられる。
【００５６】
装着部４１、４３、４５および支持部４２、４４、４６それぞれは、例えば左右に伸びる帯状に形成されてもよい。装着部４７、４９および支持部４８、５０それぞれは、例えば上下に伸びる帯状に形成されていてもよい。装着部４１、４３、４５、４７、４９および支持部４２、４４、４６、４８、５０は、例えば、それぞれ押出し加工によって一体に形成されてもよい。
【００５７】
（傾斜部）
傾斜部４１ｂ、４３ｂ、４７ｂおよび４９ｂ（以下、各傾斜部という）が傾斜することで、取付孔４１ｈ、４３ｈ、４７ｈおよび４９ｈ（以下、各取付孔という）が傾斜する。このことにより、取付ネジ２８の先端部を各取付孔から斜めに傾斜させて壁面８２にねじ込むことができる。各傾斜部の傾斜は、取付ネジ２８を取り付けることができれば特に限定されず、例えば壁面８２に平行な方向に対して０°〜４５°の範囲で傾斜していてもよい。この構成では、取付ネジ２８は壁面８２に垂直な方向に対して０°〜４５°の範囲で傾斜してねじ込まれる。各傾斜部の傾斜は、好ましくは５°以上に設定されてもよい。各傾斜部の傾斜は、それぞれ異なっていてもよく、同じであってもよい。
【００５８】
次に、実施の形態に係るシャッタ装置１００の作用、効果を説明する。
【００５９】
実施の形態に係るシャッタ装置１００では、取付枠３５には、コーキング材が塗布されるコーキング受部４０が設けられ、コーキング受部４０は、取付枠３５の外周縁より開口８４側に設けられている。この構成によれば、取付枠３５の外周縁より開口８４側に設けたコーキング受部４０にコーキング材を塗布できるから、塗布したコーキング材の外観へのはみ出しを減らすことができる。塗布後のコーキング材を覆うカバー部材を用いない場合でも、コーキング材による視覚上の違和感を軽減することができる。塗布後のコーキング材が受ける外光を減らして、外光による劣化を緩和することができる。一定の範囲で塗布ムラが許容されるので、マスキングを減らして作業効率を向上することができる。コーキング材の塗布作業が簡単になるので不慣れな作業者でもすることが可能になる。
【００６０】
実施の形態に係るシャッタ装置１００では、取付枠３５は、第１横枠３４と、第１横枠３４の左右の端部それぞれから下方に伸びる一対の縦枠１９と、を含み、コーキング受部４０は、第１横枠３４に設けられた第１受部４１ｃと、一対の縦枠１９に設けられた第２受部４７ｃと、を含んでいる。この構成によれば、第１横枠３４と一対の第１縦枠２１とで囲まれた領域への雨水などの浸入を減らすことができる。特に、第１受部４１ｃを含むことで、下向に浸入しようとする雨水を抑え、第２受部４７ｃを含むことで、横向きに浸入しようとする雨水を抑えることができる。
【００６１】
実施の形態に係るシャッタ装置１００では、取付枠３５は、第１横枠３４の下方に離れて配置され、一対の第１縦枠２１それぞれの間に架け渡される第２横枠３３を含み、コーキング受部４０は、第２横枠３３に設けられた第３受部４３ｃを含んでいる。この構成によれば、第３受部４３ｃが設けられた第２横枠３３の下方に設けられた窓部８８への雨水の垂れを減らすことができる。
【００６２】
実施の形態に係るシャッタ装置１００では、一対の縦枠１９は、第２横枠３３の側部から上方に伸びて第２受部４７ｃが設けられる一対の第１縦枠２１と、一対の第１縦枠２１の下端から下方に伸びる一対の第２縦枠２０と、からなり、第２受部４７ｃにはコーキング材５６が塗布され、一対の第２縦枠２０の開口８４側にはコーキング材が塗布されない。この構成によれば、窓枠８６の直ぐ横に位置する一対の第２縦枠２０の開口８４側にはコーキング材が塗布されないため、この部分でコーキング材による視覚上の違和感を軽減することができる。
【００６３】
実施の形態に係るシャッタ装置１００では、第３受部４３ｃは第２受部４７ｃと連続している。この構成によれば、これらが不連続である場合と比較して、コーキング材を繋げて塗布することが容易になる。それぞれの受部に塗布したコーキング材の間の隙間を減らしてシール効果を向上させることができる。
【００６４】
実施の形態に係るシャッタ装置１００では、第１受部４１ｃと第２受部４７ｃとの間にシート状の第１シール部材６２が設けられる。この構成によれば、第１受部４１ｃと第２受部４７ｃとの間の領域にシール部材を設けない場合と比較して、この領域における取付枠３５と壁面８２との間の隙間を減らしてシール効果を向上させることができる。第１シール部材６２としてシート状の乾式シール材を用いることで、容易に作業することができる。正面から見えにくい領域に設けることができるので、第１シール部材６２による視覚上の違和感を小さくすることができる。
【００６５】
実施の形態に係るシャッタ装置１００では、一対の第１縦枠２１には、第２受部４７ｃの外側で縦方向に伸びるシート状の第２シール部材６４が設けられる。この構成によれば、シールを二重構造にすることができるので、第２シール部材６４を設けない場合と比較して、第１縦枠２１からの雨水などの浸入を減らしてシール効果を向上させることができる。
【００６６】
実施の形態に係るシャッタ装置１００では、コーキング受部４０は、取付枠３５の第１横枠３４の壁面８２側において取付枠３５の外周縁３５ｅから内側に離れた位置に設けられる第１受部４１ｃを含む。この構成によれば、取付枠３５の外側からコーキング材５２を塗布することができる。塗布後のコーキング材の状態を外部から容易に確認することができる。コーキング材が流出しにくいので、塗布量を増やすことができる。
【００６７】
実施の形態に係るシャッタ装置１００では、取付枠３５には、当該取付枠３５と壁面８２との間の隙間を減少させるためのコーキング材が塗布されるコーキング受部４０が設けられ、コーキング受部４０は、シャッターカーテン３６が閉じられた状態において正面視で視認できる領域を避けた位置に配置されている。この構成によれば、視認できる領域を避けた位置に配置されたコーキング受部４０にコーキング材を塗布できるから、塗布したコーキング材の視認できる領域へのはみ出しを減らし、コーキング材による視覚上の違和感を軽減することができる。
【００６８】
以上、本発明の実施の形態をもとに説明した。これらの実施の形態は例示であり、いろいろな変形および変更が本発明の特許請求の範囲内で可能なこと、またそうした変形例および変更も本発明の特許請求の範囲にあることは当業者に理解されるところである。従って、本明細書での記述および図面は限定的ではなく例証的に扱われるべきものである。
【００６９】
以下、変形例について説明する。変形例の図面および説明では、実施の形態と同一または同等の構成要素、部材には、同一の符号を付する。実施の形態と重複する説明を適宜省略し、実施の形態と相違する構成について重点的に説明する。
【００７０】
（変形例１）
実施の形態の説明では、第３横枠３２にはコーキング受部が設けられていない例について説明したが、これに限られない。第３横枠３２にコーキング材を塗布するためのコーキング受部が設けられてもよい。
【００７１】
（変形例２）
実施の形態の説明では、第１縦枠２１および第２縦枠２０にはコーキング保持部が設けられていない例について説明したが、これに限られない。このようなコーキング保持部は取付枠３５の何れの箇所にも設けることができる。例えば、第１縦枠２１および第２縦枠２０の少なくとも一方には、コーキング受部に塗布されたコーキング材の壁面とは反対側をカバーして、コーキング材の流れ出しを抑制する保持部が設けられてもよい。
【００７２】
（変形例３）
実施の形態の説明では、コーキング材が取付枠３５の外側から塗布されるコーキング受部（以下、外塗受部という）である第１受部４１ｃが、第１横枠３４に設けられる例について説明したが、これに限られない。外塗受部は、取付枠３５の壁面８２側において外周縁３５ｅから内側に離れた位置であれば取付枠３５の何れの箇所にも設けることができる。例えば、外塗受部は第１縦枠２１や第２縦枠２０に設けられてもよい。
【００７３】
上述の変形例によれば、実施の形態に係るシャッタ装置１００によって奏される作用効果と同様の作用効果が奏される。
【００７４】
上述した実施の形態と変形例の任意の組み合わせもまた本発明の実施の形態として有用である。組み合わせによって生じる新たな実施の形態は、組み合わされる実施の形態および変形例それぞれの効果をあわせもつ。
【００７５】
説明に使用した図面では、部材の関係を明瞭にするために一部の部材にハッチングを施しているが、当該ハッチングはこれらの部材の素材や材質を制限するものではない。
【符号の説明】
【００７６】
１００・・シャッタ装置、  ２１・・第１縦枠、  ２０・・第２縦枠、  ３４・・第１横枠、  ３３・・第２横枠、  ３２・・第３横枠、  ３５・・取付枠、  ３５ｅ・・外周縁、  ３６・・シャッターカーテン、  ４１ｃ、４３ｃ、４７ｃ、４９ｃ・・コーキング受部、  ４１ｄ、４３ｄ・・保持部、  ５２、５４、５６、５８・・コーキング材、６０・・シール部材、  ８０・・建物、  ８２・・壁面。
【図１】
2018096162.tif 000003
【図２】
2018096162.tif 000004
【図３】
2018096162.tif 000005
【図４】
2018096162.tif 000006
【図５】
2018096162.tif 000007
【図６】
2018096162.tif 000008
【図７】
2018096162.tif 000009
【図８】
2018096162.tif 000010
【図９】
2018096162.tif 000011
【図１０】
2018096162.tif 000012
【図１１】
2018096162.tif 000013